(57)【要約】【課題】従来の簡易型の帯と比較しても、より簡易に着用することができ、着用の際に特段の説明も不要な新規な構成の帯について提案する。【解決手段】無端状の帯本体２と、前記帯本体２に予め固定される結び部３と、を有し、前記帯本体２には、帯本体２の周長２Ｒを伸縮可能とする伸縮部（伸縮部材４）が設けられる構成とする、無端状に構成される帯１とする。また、前記伸縮部は（伸縮部材４）、着用された状態において、前記帯本体２の内側に隠された状態となる。【選択図】図１
2011241517.tif 000002
【特許請求の範囲】
【請求項１】
無端状の帯本体と、前記帯本体に予め固定される結び部と、を有し、
前記帯本体には、帯本体の周長を伸縮可能とする伸縮部が設けられる、無端状に構成される帯。
【請求項２】
前記伸縮部は、着用された状態において、前記帯本体の内側に隠された状態となる、
ことを特徴とする請求項１に記載の無端状に構成される帯。
【請求項３】
前記帯本体は、筒孔部を有する長尺の帯部材の一端を他端に挿入することで無端状に構成されるものであって、
前記帯部材の一端に設けられる前記伸縮部は、前記筒孔部に挿入されるとともに、前記筒孔部の内部において前記伸縮部の伸縮を可能とした状態で、前記帯部材に対し留め付けられる、構成とする
ことを特徴とする請求項１又は請求項２に記載の無端状に構成される帯。
【請求項４】
前記結び部には通し孔部が形設されており、前記通し孔部の内側に前記帯部材を通した状態で、前記結び部が前記帯部材に留め付けられる、
ことを特徴とする請求項１乃至請求項３のいずれか一項に記載の無端状に構成される帯。
【請求項５】
前記伸縮部は、平ゴムにて構成され、前記帯本体及び前記結び部は布地にて構成され、これら各部品の相互の留め付けは、糸を用いた縫い付けにて行われる、
ことを特徴とする請求項１乃至請求項４のいずれか一項に記載の無端状に構成される帯。 
【発明の詳細な説明】
【技術分野】
【０００１】
本発明は、浴衣などの和服の着用の際に使用される帯に関するものである。
【背景技術】
【０００２】
従来、浴衣や着物などの和服の着用の際に使用される帯について、帯を結ぶ手間や、綺麗な結び目を作ることが難しいことに鑑み、端部に粘着テープなどの留め具を設けたベルト状の帯本体に、あらかじめ作成された結び部（帯姿部分）を取り付けるなどによって、着用を容易にした簡易型の帯が知られている。
【先行技術文献】
【特許文献】
【０００３】
【特許文献１】特開２００５−５４２９１号公報
【特許文献２】特許第３１８７４０１号明細書
【発明の概要】
【発明が解決しようとする課題】
【０００４】
しかし、特許文献１、特許文献２に開示されるような形態では、帯本体の形状や構成が複雑となる傾向があり、また、帯の生地以外にも粘着テープなどの留め具が必要となって、使用するパーツ（部品）の種別も多くなることから、製造コストが嵩んでしまうことが懸念される。
【０００５】
また、帯本体を巻きつける際において、初めて着用する人には、長さの調整の方法や、結び方についての説明が必要となり、誰かに教わることや、説明書を読むなどといった手間がかかるものとなる。また、和服の着用の頻度が低い場合には、使用方法を忘れてしまい、着用の際に再度説明書を読まなければならないということも懸念される。
【０００６】
また、帯本体と結び部が別々に構成されるため、帯本体を巻きつけた後において結び部を取り付ける手間が発生する。また、持ち運びや保管の際には、帯本体と結び部の二つのものを同時に取り扱う必要が生じることになり、使用者に取り扱いの不便を感じさせることも懸念される。また、着用後においても、結び部の脱落などの発生も懸念され、特に、イベント会場や、駅構内、電車内など、人が混雑した状況においては、脱落にも気がつかないまま結び部を紛失してしまうことも懸念される。
【０００７】
そこで、本発明は、以上の問題に鑑み、従来の簡易型の帯と比較しても、より簡易に着用することができ、着用の際に特段の説明も不要な新規な構成の帯について提案するものである。
【課題を解決するための手段】
【０００８】
本発明の解決しようとする課題は以上の如くであり、次にこの課題を解決するための手段を説明する。
【０００９】
即ち、請求項１に記載のごとく、
無端状の帯本体と、前記帯本体に予め固定される結び部と、を有し、前記帯本体には、帯本体の周長を伸縮可能とする伸縮部が設けられる、無端状に構成される帯とするものである。
【００１０】
また、請求項２に記載のごとく、
前記伸縮部は、着用された状態において、前記帯本体の内側に隠された状態となる、こととするものである。
【００１１】
また、請求項３に記載のごとく、
前記帯本体は、筒孔部を有する長尺の帯部材の一端を他端に挿入することで無端状に構成されるものであって、
前記帯部材の一端に設けられる前記伸縮部は、前記筒孔部に挿入されるとともに、前記筒孔部の内部において前記伸縮部の伸縮を可能とした状態で、前記帯部材に対し留め付けられる、構成とするものである。
【００１２】
また、請求項４に記載のごとく、
前記結び部には通し孔部が形設されており、前記通し孔部の内側に前記帯部材を通した状態で、前記結び部が前記帯部材に留め付けられる、こととするものである。
【００１３】
また、請求項５に記載のごとく、
前記伸縮部は、平ゴムにて構成され、前記帯本体及び前記結び部は布地にて構成され、これら各部品の相互の留め付けは、糸を用いた縫い付けにて行われる、こととするものである。
【発明の効果】
【００１４】
本発明の効果として、以下に示すような効果を奏する。
【００１５】
即ち、請求項１に記載の発明においては、
従来の簡易型の帯と比較しても、より簡易に着用することができ、着用の際に特段の説明も不要な帯を実現することができる。
【００１６】
また、請求項２に記載の発明においては、
伸縮部が外観に現れないため、帯本体のおもて面の柄などによって帯の外観の意匠を構成できることになる。仮に、伸縮部が外観に現れる場合には、伸縮することによって、その伸縮した箇所の柄や模様が変化してしまうことになるが、このような不具合を本発明では回避できる。つまり、伸縮部を隠しながら帯の周長の伸縮を可能としたものであり、単純に帯部材と伸縮部をつなぎ合わせて無端状にするような思想とは一線を画すものである。
【００１７】
また、請求項３に記載の発明においては、
簡易な製造工程により帯部材を無端状に構成することができ、製造コストを安価に抑えることができる。また、従来のベルト状の帯の場合では粘着テープなどの留め具が必要であったが、これらの留め具も不要となるため、安価に構成することが可能であて、コスト削減を図ることができる。
【００１８】
また、請求項４に記載の発明においては、
結び部が帯本体と一体となり、着用後において、結び部の脱落や紛失などの心配もなく、また、持ち運びや保管における取り扱いが容易となる。
【００１９】
また、請求項５に記載の発明においては、
縫製による製造が可能となって、従来の縫製工場の設備や人員を用いての製造が可能となって、安価な製造が可能となる。
【図面の簡単な説明】
【００２０】
【図１】（ａ）は本発明の一実施例に係る帯について示す図。（ｂ）は帯を伸ばした状態について説明する図。
【図２】帯を着用する際の手順について説明する図。
【図３】帯を構成する部材について説明する図。
【図４】（ａ）は帯部材の右端の折り返しについて説明する図。（ｂ）は帯部材の左端のダーツ縫いについて説明する図。（ｃ）はダーツ縫いをした後の帯部材の状態について説明する図。
【図５】（ａ）は伸縮部材の帯部材への留め付けについて説明する図。（ｂ）は結び部の帯部材への留め付けについて示す図。
【図６】（ａ）は伸縮部材の筒孔部への挿入について説明する図。（ｂ）は上がり寸法の調整について示す図。（ｃ）は伸縮部材の左端の留め付けについて示す図。
【発明を実施するための形態】
【００２１】
次に、発明の実施の形態を説明する。
図１（ａ）（ｂ）に示すごとく、本発明に係る帯１は、無端状の帯本体２と、前記帯本体２に予め固定される結び部３と、を有し、前記帯本体２には、帯本体２の周長２Ｒを伸縮可能とする伸縮部（伸縮部材４）が設けられる構成とするものである。
【００２２】
この構成によれば、伸縮部（伸縮部材４）によって、帯本体２の周長２Ｒを変化させることができ、帯１を着用する際には、例えば、図２に示されるように、帯本体２で形成される輪の中に両脚を入れた状態とするとともに、そのまま帯１を腰の位置まで移動させたのち、結び部３が背中側となるように帯１を回すことで、帯１の着用を極めて容易に行うことができる。また、取り外しについても、ももちろん容易に可能である。
【００２３】
また、図２に示されるように、帯１を足元から腰の位置まで移動させる過程では、図１（ｂ）のように伸縮部材４が矢印Ｙ１の方向に伸びることによって周長２Ｒ（図１（ａ）が適宜変化するため、帯１の移動は容易に可能となるものであり、さらに、所望の位置まで移動をさせた後においては、伸縮部材４が弾性力によって矢印Ｙ２の方向に縮むことにより、帯本体２による締め付けが自然になされることことから、特段の手間は不要となるのである。
【００２４】
また、図１（ａ）（ｂ）及び図２に示すごとく、以上のように帯１を容易に着用できるため、初めて着用する人にとっても、説明は不要なものとなる。また、結び部３が帯本体２と予め一体となっているため、持ち運びや保管における取り扱いが容易となる。また、結び部３が帯本体２と予め一体となっているため、着用後において、結び部３の脱落や紛失などの心配も生じないこととなる。
【００２５】
以下、製造手順とともに詳細な構成について説明する。なお、以下の各図を用いた説明では、便宜のため、紙面左側を左、紙面右側を右として説明をする。
図３に示すごとく、帯１を製造するために用意する材料として主なものは、帯部材２０と、結び部３と、伸縮部として機能するための伸縮部材４の３つである。まず、帯部材２０は、長尺生地の長手の端部同士を縫い合わせることなどにより、長尺の筒状部材に構成されるものであり、左右の端２０ａ・２０ｂが開放された筒孔部２１が形成されるようになっている。帯部材２０を構成する布地の種別については、特に限定がされるものではなく、また、布地には適宜柄などの装飾が施されるものである。本実施例において、帯部材２０は、長さが１００ｃｍ〜１０４ｃｍ程度であり、幅が１０ｃｍとしている。
【００２６】
また、結び部３は、布地を結ぶ、若しくは、留め付けるなどして結び目の外観を有するように構成したものであり、本実施例では、結び目の表側の箇所を表現する結び目３１と、結び目３１の上下斜めに向かってそれぞれ延びて帯の端部を表現する端部形状部３２・３３とを有している。また。結び部３には、結び目３１から横方向に伸びる横長部３４が設けられている。また、結び目３１と横長部３４には、横方向に一連の通し孔部３５が形成されており、この通し孔部３５の中に帯部材２０を通すことができるように、結び部３の左端３１ａと横長部３４の右端３４ａにおいて、通し孔部３５が開放されている。
【００２７】
また、伸縮部材４は、帯部材２０よりも幅が狭く一定の長さを有するものであり、その長手方向において伸縮する部材にて構成される。具体的には、被服用途に一般に用いられるゴム材（平ゴム）であり、後述するように、縫製機械によって帯部材２０に対し留め付け得ることができる素材などで構成することができる。本実施例において、伸縮部材４は、長さが３０ｃｍ〜３４ｃｍ程度であり、幅が８ｃｍとしている。
【００２８】
以上の材料を準備した状態とし、まずは、図４（ａ）に示すごとく、帯部材２０において右端２０ａを１ｃｍの幅で内側に三つ折するとともに、折り返した状態を維持するように、右端から０．８ｃｍの箇所において留め付けを行う。
【００２９】
また、図４（ｂ）に示すごとく、帯部材２０を裏返した状態とし（裏面が見える状態とする）、帯部材２０の左端２０ｂにおいて、その端から５ｃｍの範囲について、上下端からそれぞれ０．８ｃｍの箇所にステッチＳ１をかける。そして、端から５ｃｍの箇所から、さらに１０ｃｍ先の箇所において、上下端に到達するようにステッチＳ２をかけることで、ダーツ縫いが行なわれる。
【００３０】
図４（ｂ）のダーツ縫いを完了し、帯部材２０を再度裏返しておもて面が見える状態とすることで、図４（ｃ）に示される状態となる。次に、図５（ａ）に示すごとく、帯部材２０の左端２０ｂを内側に二つ折りするとともに、この左端２０ｂの内側に伸縮部材４の右端４ａを１ｃｍ挿入する。そして、帯部材２０と伸縮部材４が重なる箇所において、帯部材２０の左端２０ｂの幅方向にダブルステッチＳ３による留め付けを行うことで、伸縮部材４の右端４ａが帯部材２０の左端２０ｂに対し留め付けられる。
【００３１】
次に、図５（ｂ）に示すごとく、帯部材２０の右端２０ａを、結び部３に形成される通し孔部３５の左側の開放部３５ｂに挿入する。帯部材２０の右端２０ａは、通し孔部３５の途中部の位置になるまで挿入される。そして、特定の留め付け箇所２２ａ・２２ｂ・・・において、結び部３と帯部材２０の留め付けが行われる。ここで、特定の留め付け箇所２２ａ・２２ｂ・・・は、留め付けた後の状態においても、帯部材２０の筒孔部２１、及び、結び部３の通し孔部３５が閉じられないように設定されるものであり、本実施例では、帯部材２０の上下の端の位置と、結び部３の略中央部（ここでは帯部材２０を貫通せずに留め付ける）に設定され、合計五箇所において留め付けがなされることになる。また、この留め付けがなされた状態においては、帯部材２０の右端２０ａは結び部３の通し孔部３５の中に隠されることになる。
【００３２】
次に、図６（ａ）に示すごとく、帯部材２０に留め付けられた伸縮部材４の左端４ｂを、結び部３の横長部３４の右端３４ａの側から、通し孔部３５の中に挿入する。さらに、伸縮部材４の左端４ｂを、帯部材２０の右端２０ａから筒孔部２１内へと挿入することで、帯部材２０を環状とするとともに、図６（ｂ）に示すごとく、環状に構成される帯部材２０の周長（図１（ａ）の周長２Ｒ参照）が上がり寸法となるまで、伸縮部材４を筒孔部２１の中に通していく。この上がり寸法は、例えばＭサイズの場合には８４ｃｍ、Ｌサイズの場合には８８ｃｍなどとするものであり、この上がり寸法にするための調整作業では、帯部材２０の平らに伸ばした状態の長さ寸法Ｗが、上がり寸法の半分となるように調整を行うことで、容易に行うことができる。
【００３３】
そして、図６（ｂ）の長さ寸法Ｗを調整した後に、図６（ｃ）に示すごとく、伸縮部材４の左端４ｂの位置において、帯部材２０の外側からダブルステッチＳ４による留め付けを行うことで、伸縮部材４の左端４ｂが帯部材２０の中途部に対し留め付けられる。これにより、図１（ａ）に示すごとく、帯部材２０が無端状の帯本体２として構成される。なお、伸縮部材４の留め付けや、上述の結び部３の留め付け（図５（ｂ））については、糸を用いた縫い付けとするほか、接着材を用いた固定や、素材同士の溶着なども考えられる。
【００３４】
以上に説明した手順に本発明を実施することができる。
即ち、図１（ａ）に示すごとく、
無端状の帯本体２と、前記帯本体２に予め固定される結び部３と、を有し、前記帯本体２には、帯本体２の周長２Ｒを伸縮可能とする伸縮部（伸縮部材４）が設けられる、無端状に構成される帯１を実現することができる。
【００３５】
これにより、従来の簡易型の帯と比較しても、より簡易に着用することができ、着用の際に特段の説明も不要な帯１を実現することができる。
【００３６】
また、図１（ａ）（ｂ）に示すごとく、
前記伸縮部（伸縮部材４）は、着用された状態において、前記帯本体２の内側に隠された状態となる、こととするものである。
【００３７】
これにより、伸縮部（伸縮部材４）が外観に現れないため、帯本体２のおもて面の柄などによって帯１の外観の意匠を構成できることになる。仮に、伸縮部（伸縮部材４）が外観に現れる場合には、伸縮することによって、その伸縮した箇所の柄や模様が変化してしまうことになるが、このような不具合を本発明では回避できる。つまり、伸縮部（伸縮部材４）を隠しながら帯１の周長２Ｒ（図１（ａ））の伸縮を可能としたものであり、単純に帯部材と伸縮部をつなぎ合わせて無端状にするような思想とは一線を画すものである。
【００３８】
また、図６（ａ）（ｂ）（ｃ）に示すごとく、
前記帯本体２は、筒孔部２１を有する長尺の帯部材２０の一端を他端に挿入することで無端状に構成されるものであって、
前記帯部材２０の一端に設けられる前記伸縮部（伸縮部材４）は、前記筒孔部２１に挿入されるとともに、前記筒孔部２１の内部において前記伸縮部（伸縮部材４）の伸縮を可能とした状態で、前記帯部材２０に対し留め付けられる、構成とするものである。
【００３９】
これにより、簡易な製造工程により帯部材２０を無端状に構成することができ、製造コストを安価に抑えることができる。また、従来のベルト状の帯の場合では粘着テープなどの留め具が必要であったが、これらの留め具も不要となるため、安価に構成することが可能であて、コスト削減を図ることができる。
【００４０】
また、図５（ｂ）、及び、図６（ａ）に示すごとく、前記結び部３には通し孔部３５が形設されており、前記通し孔部３５の内側に前記帯部材２０を通した状態で、前記結び部３が前記帯部材２０に留め付けられる、こととするものである。
【００４１】
これにより、図１（ａ）に示すごとく、結び部３が帯本体２と一体となり、着用後において、結び部３の脱落や紛失などの心配もなく、また、持ち運びや保管における取り扱いが容易となる。
【００４２】
また、図３、及び、図６（ａ）に示すごとく、前記伸縮部（伸縮部材４）は、平ゴムにて構成され、前記帯本体２及び前記結び部３は布地にて構成され、これら各部品の相互の留め付けは、糸を用いた縫い付けにて行われる、こととするものである。
【００４３】
これにより、縫製による製造が可能となって、従来の縫製工場の設備や人員を用いての製造が可能となって、安価な製造が可能となる。
【００４４】
なお、以上に説明した実施例はあくまでも一例であって、結び部の形態（結び方）や、帯の幅などのデザインや形態の設計については、特に実施例に限定されるものではない。
【産業上の利用可能性】
【００４５】
本発明は、浴衣や着物などの和服を着用する際に用いられる帯として、幅広く利用することができる。
【符号の説明】
【００４６】
１    帯
２    帯本体
２Ｒ    周長
３    結び部
４    伸縮部材
４ａ    右端
４ｂ    左端
２０    帯部材
２１    筒孔部
３１    結び目
３５    通し孔部
【図１】
2011241517.tif 000003
【図２】
2011241517.tif 000004
【図３】
2011241517.tif 000005
【図４】
2011241517.tif 000006
【図５】
2011241517.tif 000007
【図６】
2011241517.tif 000008
【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
無端状の帯本体と、前記帯本体に予め固定される結び部と、を有し、
前記帯本体には、帯本体の周長を伸縮可能とする伸縮部が設けられ、
前記帯本体は、筒孔部を有する長尺の帯部材の一端を他端に挿入することで無端状に構成されるものであって、
前記帯部材の一端に設けられる前記伸縮部は、前記筒孔部に挿入されるとともに、前記筒孔部の内部において前記伸縮部の伸縮を可能とした状態で、前記帯部材に対し留め付けられる構成とする、無端状に構成される帯。
【請求項２】
前記伸縮部は、着用された状態において、前記帯本体の内側に隠された状態となる、
ことを特徴とする請求項１に記載の無端状に構成される帯。
【請求項３】
前記結び部には通し孔部が形設されており、前記通し孔部の内側に前記帯部材を通した状態で、前記結び部が前記帯部材に留め付けられる、
ことを特徴とする請求項１又は請求項２に記載の無端状に構成される帯。
【請求項４】
前記伸縮部は、平ゴムにて構成され、前記帯本体及び前記結び部は布地にて構成され、これら各部品の相互の留め付けは、糸を用いた縫い付けにて行われる、
ことを特徴とする請求項１乃至請求項３のいずれか一項に記載の無端状に構成される帯。
【手続補正２】
【補正対象書類名】明細書
【補正対象項目名】０００９
【補正方法】変更
【補正の内容】
【０００９】
即ち、請求項１に記載のごとく、
無端状の帯本体と、前記帯本体に予め固定される結び部と、を有し、
前記帯本体には、帯本体の周長を伸縮可能とする伸縮部が設けられ、
前記帯本体は、筒孔部を有する長尺の帯部材の一端を他端に挿入することで無端状に構成されるものであって、
前記帯部材の一端に設けられる前記伸縮部は、前記筒孔部に挿入されるとともに、前記筒孔部の内部において前記伸縮部の伸縮を可能とした状態で、前記帯部材に対し留め付けられる構成とする、無端状に構成される帯とするものである。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、請求項３に記載のごとく、
前記結び部には通し孔部が形設されており、前記通し孔部の内側に前記帯部材を通した状態で、前記結び部が前記帯部材に留め付けられる、こととするものである。
【手続補正５】
【補正対象書類名】明細書
【補正対象項目名】００１３
【補正方法】変更
【補正の内容】
【００１３】
また、請求項４に記載のごとく、
前記伸縮部は、平ゴムにて構成され、前記帯本体及び前記結び部は布地にて構成され、これら各部品の相互の留め付けは、糸を用いた縫い付けにて行われる、こととするものである。
【手続補正６】
【補正対象書類名】明細書
【補正対象項目名】００１５
【補正方法】変更
【補正の内容】
【００１５】
即ち、請求項１に記載の発明においては、
従来の簡易型の帯と比較しても、より簡易に着用することができ、着用の際に特段の説明も不要な帯を実現することができる。また、簡易な製造工程により帯部材を無端状に構成することができ、製造コストを安価に抑えることができる。また、従来のベルト状の帯の場合では粘着テープなどの留め具が必要であったが、これらの留め具も不要となるため、安価に構成することが可能であて、コスト削減を図ることができる。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
また、請求項３に記載の発明においては、
結び部が帯本体と一体となり、着用後において、結び部の脱落や紛失などの心配もなく、また、持ち運びや保管における取り扱いが容易となる。
【手続補正９】
【補正対象書類名】明細書
【補正対象項目名】００１９
【補正方法】変更
【補正の内容】
【００１９】
また、請求項４に記載の発明においては、
縫製による製造が可能となって、従来の縫製工場の設備や人員を用いての製造が可能となって、安価な製造が可能となる。